(57)【特許請求の範囲】
【請求項１】
シート材を用いて形成された本体部を備えており、
該本体部は、物品を収容する袋状の袋状領域と該袋状領域から延出する延出領域とを備えており、
袋状領域は、一方向における本体部の一端側に形成されており、
延出領域は、前記一方向における本体部の他端側に形成されており、
前記一方向に延びる切断予定線に沿って袋状領域から延出領域に向かって本体部を切断可能に構成されており、
前記延出領域は、前記切断予定線と交差する切り込みから構成される第一切込部を備えており、
該第一切込部は、前記一方向に直交する他方向に延びるように形成されると共に、前記他方向の両端部よりも内側の位置で、本体部の切断方向の下流側に位置する前記切断予定線の一端と接するように形成されており、
第一切込部の両端部を起点に前記他方向へ本体部を切断可能に構成される包装材。
【請求項２】
前記本体部は、重ね合わされた二枚のシート材から構成されると共に、前記一方向における両端部から前記一方向に離間した位置で二枚のシート材の前記他方向に延びる領域同士が直接的又は間接的に接合されて形成された内側接合部と、前記他方向における二枚のシート材の両端部同士が内側接合部よりも一方向の一端側の位置で接合されて形成された一対の端部接合部とを備えており、
二枚のシート材のそれぞれにおける内側接合部を形成する領域は、剥離可能に接合されており、
前記袋状領域は、本体部における内側接合部よりも前記一方向の一端側に形成され、前記延出領域は、本体部における袋状領域よりも前記一方向の他端側の内側接合部を含む領域に形成されており、
前記第一切込部は、内側接合部に形成される請求項１に記載の包装材。
【請求項３】
前記袋状領域は、延出領域から離間した位置に形成された切り込みから構成される第二切込部を更に備えており、
前記第一切込部は、第二切込部の両端部から前記延出領域へ向かう一対の切断予定線と交差するように形成される請求項１又は２に記載の包装材。
【発明の詳細な説明】
【技術分野】
【０００１】
本発明は、物品を包装する包装材に関する。
【背景技術】
【０００２】
食品等の物品を包装する包装材としては、シート材を用いて袋状に形成された包装材が用いられている。該包装材としては、例えば、特許文献１に示すように、物品を収容する袋状領域を一方向の一端側に備えると共に一方向の他端側に袋状領域から延出する延出領域を備えるものが知られている。斯かる包装材は、袋状領域に物品を収容した後、該袋状領域を閉塞することによって物品が包装されるように構成されている。
【０００３】
また、斯かる包装材は、重なり合う２枚のシート材から構成されており、該２枚のシート材の一方向に直行する他方向の両端部同士が接合されて形成された一対の端部接合部と、一方向の両端部から一方向に離間した位置で他方向に延びる領域同士がカットテープを介して接合されて形成された内側接合部とを備えている。そして、内側接合部よりも一方向の一端側に袋状領域が形成され、該袋状領域よりも一方向の他端側における内側接合部を含む領域に延出領域が形成されている。
【０００４】
また、斯かる包装材は、一方のシート材の延出領域を形成する領域が切り込まれて形成された切込部を備えており、包装された物品を取り出す際には、該切込部によって分離された部分を摘んで袋状領域側へ引っ張ることで、切込部の両端部を起点に延出領域から袋状領域に渡って包装材が切断される。これにより、袋状領域に開口部が形成されるため、該開口部から袋状領域内の物品を取り出すことが可能となる。
【先行技術文献】
【特許文献】
【０００５】
【特許文献１】特開２００９−１８４７０２号公報
【発明の概要】
【発明が解決しようとする課題】
【０００６】
しかしながら、袋状領域に収容された食品の大きさや袋状領域に形成される開口部の広さによっては、袋状領域内の食品を開口部から取り出すことが困難な場合がある。
【０００７】
そこで、本発明は、袋状領域からの物品の取り出しを容易に行うことができる包装材を提供することを課題とする。
【課題を解決するための手段】
【０００８】
本発明に係る包装材は、シート材を用いて形成された本体部を備えており、該本体部は、物品を収容する袋状の袋状領域と該袋状領域から延出する延出領域とを備えており、袋状領域は、一方向における本体部の一端側に形成されており、延出領域は、前記一方向における本体部の他端側に形成されており、前記一方向に延びる切断予定線に沿って袋状領域から延出領域に向かって本体部を切断可能に構成されており、前記延出領域は、前記切断予定線と交差する切り込みから構成される第一切込部を備えており、該第一切込部は、前記一方向に直交する他方向に延びるように形成されると共に、前記他方向の両端部よりも内側の位置で、本体部の切断方向の下流側に位置する前記切断予定線の一端と接するように形成されており、第一切込部の両端部を起点に前記他方向へ本体部を切断可能に構成される。
【０００９】
斯かる構成によれば、袋状領域から延出領域に渡って本体部を切断（以下、第一切断とも記す）することで、本体部に開口部が形成される。また、第一切断する際の切断予定線と交差するように第一切込部が形成されることで、第一切断が第一切込部に達した際に、第一切断によって形成された開口部と第一切込部とが連なった状態となる。そして、斯かる状態で第一切込部の両端部を起点に本体部を更に切断（以下、第二切断とも記す）することで、第一切断によって形成された開口部を広げることができる。これにより、袋状領域内の物品を広げられた開口部から容易に取り出すことができる。
【００１０】
前記本体部は、重ね合わされた二枚のシート材から構成されると共に、前記一方向における両端部から前記一方向に離間した位置で二枚のシート材の前記他方向に延びる領域同士が直接的又は間接的に接合されて形成された内側接合部と、前記他方向における二枚のシート材の両端部同士が内側接合部よりも一方向の一端側の位置で接合されて形成された一対の端部接合部とを備えており、二枚のシート材のそれぞれにおける内側接合部を形成する領域は、剥離可能に接合されており、前記袋状領域は、本体部における内側接合部よりも前記一方向の一端側に形成され、前記延出領域は、本体部における袋状領域よりも前記一方向の他端側の内側接合部を含む領域に形成されており、前記第一切込部は、内側接合部に形成されることが好ましい。
【００１１】
斯かる構成によれば、第一切込部が剥離可能な内側接合部に形成されることで、本体部の第一切断が第一切込部に達するまで内側接合部が剥離されつつ本体部（具体的には、一方のシート材の内側接合部を形成する領域）が切断される。また、第一切断が第一切込部に達した後に本体部の第二切断を行う際にも、内側接合部が剥離されつつ本体部が切断される。つまり、第一切込部が内側接合部に形成された場合であっても、第一切断及び第二切断を容易に行うことができるため、第一切断によって形成された開口部を第二切断によって容易に広げることができる。更に、内側接合部は、本体部の他の部位よりも変形し難い（換言すれば、張りがある）ため、内側接合部に形成された第一切込部の両端部を起点とする第二切断を行い易くすることができる。
【００１２】
前記袋状領域は、延出領域から離間した位置に形成された切り込みから構成される第二切込部を更に備えており、前記第一切込部は、第二切込部の両端部から前記延出領域へ向かう一対の切断予定線と交差するように形成されることが好ましい。
【００１３】
斯かる構成によれば、第二切込部の両端部を起点に一対の切断予定線で本体部を切断（第一切断）することで、第一切断が第一切込部に達した際に一対の切断予定線と第一切込部と第二切込部とで囲まれた領域（以下、分離領域とも記す）が本体部から分離する。これにより、袋状領域から物品を取り出す際に、分離領域が開口部の近傍に位置することがないため、分離領域が物品の取り出しの邪魔になるのを防止することができる。
【発明の効果】
【００１４】
以上のように、本発明によれば、袋状領域からの物品の取り出しを容易に行うことができる。
【図面の簡単な説明】
【００１５】
【図１】（ａ）は、本実施形態に係る包装材の平面図、（ｂ）は、同実施形態の包装材の収容口を開いた状態を示す斜視図。
【図２】同実施形態の包装材で物品を包装した状態を示した斜視図。
【図３】同実施形態の包装材で物品を包装した状態から第一切込部に達するまで本体部を切断した状態を示す斜視図。
【図４】同実施形態の包装材で物品を包装した状態から第一切込部に達するまで本体部を切断した後、第一切込部の両端部から本体部を更に切断した状態を示す斜視図。
【図５】他の実施形態に係る包装材を示した平面図。
【図６】（ａ）は、更に他の実施形態に係る包装材の第一切込部の近傍を示した平面図、（ｂ）は、更に他の実施形態に係る包装材の第一切込部の近傍を示した平面図、（ｃ）は、更に他の実施形態に係る包装材の第一切込部の近傍を示した平面図、（ｄ）は、更に他の実施形態に係る包装材の第一切込部の近傍の断面図。
【発明を実施するための形態】
【００１６】
以下、本発明の実施形態について図１〜４を参照しながら説明する。なお、以下の図面において同一または相当する部分には同一の参照符号を付しその説明は繰り返さない。また、以下の説明における一方向（第一方向）は、各図における座標軸のｘ軸に沿った方向であり、第一方向に直交する他方向（第二方向）は、各図における座標軸のｙ軸に沿った方向であり、第一方向及び第二方向に直交する第三方向は、各図における座標軸のｚ軸に沿った方向である。
【００１７】
図１（ａ）に示すように、本実施形態に係る包装材１は、シート材を用いて形成された袋状の本体部２と、該本体部２の切断を補助するカットテープ３と、後述する第二切込部２ｇを本体部２の内側から覆う第一被覆フィルム４と、第二切込部２ｇを本体部２の外側から覆う第二被覆フィルム５とから構成される。本体部２を構成するシート材としては、包装される物品の形状に沿って変形可能なものが用いられる。例えば、シート材としては、無色透明な樹脂フィルム、紙材、又は、布材等を用いることができる。
【００１８】
前記本体部２は、物品を収容する袋状の袋状領域２ａと該袋状領域２ａから延出する延出領域２ｂとを備える。袋状領域２ａは、第一方向における本体部２の一端側に形成され、延出領域２ｂは、第一方向における本体部２の他端側に形成される。また、本体部２（具体的には、袋状領域２ａ）は、図１（ｂ）に示すように、袋状領域２ａの内側へ物品を収容する際に用いられる収容口２ｃを第一方向の一端部に備える。そして、収容口２ｃから袋状領域２ａの内側へ物品を挿入して収容口２ｃを閉塞するように袋状領域２ａの収容口２ｃ側の領域を折り込むことで、包装材１によって物品が包装される。
【００１９】
また、本体部２は、重ね合わされた二枚のシート材が接合されることで形成される。また、本体部２は、第一方向における両端部から第一方向に離間した位置で二枚のシート材の第二方向に延びる領域同士が剥離可能に接合されて形成された内側接合部２ｄを備える。また、本体部２は、第二方向における二枚のシート材の両端部同士が内側接合部２ｄよりも第一方向の一端側の位置で接合されて形成された一対の端部接合部２ｅ，２ｅを備える。そして、本体部２における内側接合部２ｄよりも第一方向の一端側（収容口２ｃ側）に袋状領域２ａが形成され、本体部２における袋状領域２ａよりも第一方向の他端側の内側接合部２ｄを含む領域に延出領域２ｂが形成される。
【００２０】
また、本体部２は、袋状領域２ａから延出領域２ｂに渡って切断可能に構成される。具体的には、本体部２は、袋状領域２ａから延出領域２ｂに渡って（具体的には、第一方向に延びるように）仮想的に設定される切断予定線Ｌ１上で切断可能に構成される。本実施形態では、本体部２は、第二方向に間隔を開けて仮想的に設定される一対の切断予定線Ｌ１，Ｌ１上で切断可能に構成される。切断予定線Ｌ１は、延出領域２ｂに形成された切り込みから構成される第一切込部２ｆと袋状領域２ａに形成された切り込みから構成される第二切込部２ｇとの間に仮想的に設定される。
【００２１】
第一切込部２ｆは、切断予定線Ｌ１（本実施形態では、一対の切断予定線Ｌ１，Ｌ１）と交差するように形成されて第二方向に延びる切り込みから構成される。また、第一切込部２ｆは、延出領域２ｂを貫通しないように形成される。具体的には、本体部２を構成する一方のシート材の延出領域２ｂを形成する領域に形成された切り込みが他方のシート材の延出領域２ｂを形成する領域によって覆われた状態となることで延出領域２ｂを貫通しない第一切込部２ｆが形成される。また、第一切込部２ｆは、内側接合部２ｄに形成される。具体的には、本体部２を構成する一方のシート材の内側接合部２ｄを形成する領域に形成された切り込みが他方のシート材の内側接合部２ｄを形成する領域によって覆われた状態で、二枚のシート材の内側接合部２ｄを形成する領域同士が直接的に接合されることで、内側接合部２ｄを貫通しない第一切込部２ｆが形成される。
【００２２】
第二切込部２ｇは、袋状領域２ａにおける延出領域２ｂから第一方向に離間した位置に形成される。具体的には、物品が収容された袋状領域２ａの収容口２ｃを閉塞する際に折り込まれる領域よりも延出領域２ｂ側に第二切込部２ｇが形成される。また、第二切込部２ｇは、第二方向に延びるように形成される。また、第二切込部２ｇは、第一切込部２ｆに沿って形成され、第二方向に沿った両端間の長さが第二方向に沿った第一切込部２ｆの両端間の長さよりも短くなるように形成される。そして、第二切込部２ｇの両端部から第一切込部２ｆに達する一対の切断予定線Ｌ１，Ｌ１が仮想的に設定される。
【００２３】
前記カットテープ３は、第一方向が長手となるように配置されて本体部２の内側（具体的には、本体部２に物品を収容した際の一方のシート材における物品側）に貼り付けられる。また、カットテープ３は、内側接合部２ｄと交差しないように配置される。つまり、カットテープ３は、袋状領域２ａのみと重なるように配置される。また、カットテープ３の幅は、第一切込部２ｆ及び第二切込部２ｇそれぞれの第二方向における両端間の長さよりも短くなるように形成される。そして、カットテープ３の幅方向の両端部の外側に幅方向に沿って一対の切断予定線Ｌ１，Ｌ１が仮想的に設定される。
【００２４】
前記第一被覆フィルム４は、第二切込部２ｇを覆うように本体部２の内側（具体的には、本体部２に物品を収容した際の一方のシート材における物品側）に貼り付けられる。また、第一被覆フィルム４は、第二切込部２ｇの周囲の位置で本体部２に貼り付けられる。一方、第二被覆フィルム５は、第二切込部２ｇを覆うように本体部２の外側（具体的には、本体部２に物品を収容した際の一方のシート材における物品側の反対側）に貼り付けられる。具体的には、第二被覆フィルム５は、一方のシート材における第二切込部２ｇの両端部間の領域であって第二切込部２ｇよりも延出領域２ｂ側の第二切込部２ｇの近傍の領域に貼り付けられる。また、第二被覆フィルム５は、第一方向における延出領域２ｂから離れた側の端部が本体部２に貼り付けられないことで、該端部（以下、摘み部５ａとも記す）を指などで摘むことが可能となる。
【００２５】
本実施形態に係る包装材１を用いて物品を包装する際には、収容口２ｃから袋状領域２ａ内に物品を収容し、袋状領域２ａの収容口２ｃ側の領域を折り込んで収容口２ｃを閉塞する。これにより、図２に示すように、包装材１によって物品が包装されてなる包装体１０が形成される。
【００２６】
次に、包装体１０から物品を取り出す方法について説明する。まず初めに、第二被覆フィルム５の摘み部５ａを摘んで延出領域２ｂ側へ引っ張る。この際、第二被覆フィルム５と貼り付いた第二切込部２ｇの両端部間の領域が第二被覆フィルム５と共に延出領域２ｂ側へ引っ張られる。これにより、第二切込部２ｇの両端部を起点に一対の切断予定線Ｌ１，Ｌ１上で袋状領域２ａ（具体的には、本体部２を構成する一方のシート材の袋状領域２ａを形成する領域）が切断される。そして、袋状領域２ａの切断が延出領域２ｂ（具体的には、内側接合部２ｄ）に達した後は、本体部２を構成する一方のシート材における内側接合部２ｄを形成する領域が他方のシート材における内側接合部２ｄを形成する領域から剥離されつつ一対の切断予定線Ｌ１，Ｌ１上で切断される。そして、内側接合部２ｄの切断が第一切込部２ｆに達することで、図３に示すように、一対の切断予定線Ｌ１，Ｌ１と第一切込部２ｆと第二切込部２ｇとで囲まれていた領域（以下、分離領域とも記す）２ｈが包装体１０から分離される（第一切断）。
【００２７】
これにより、分離領域２ｈに対応する広さの開口部１０ａが包装体１０に形成される。該開口部１０ａは、第一切込部２ｆに連なった状態で形成される。そして、開口部１０ａの第一切込部２ｆ側における第二方向で対向する各端部を摘んで第二方向に離間させるように（具体的には、一対の端部接合部２ｅ，２ｅ側へ）引っ張ることで、本体部２を構成する一方のシート材における内側接合部２ｄを形成する領域が他方のシート材における内側接合部２ｄを形成する領域から剥離されつつ第一切込部２ｆの両端部を起点に第二方向に（具体的には、一対の端部接合部２ｅ，２ｅ側へ）切断される。これにより、開口部１０ａは、延出領域２ｂ側へ向かって開口面が拡開されるため、該開口部１０ａから包装体１０内の物品を容易に取り出すことができる。
【００２８】
以上のように、本発明に係る包装材によれば、袋状領域からの物品の取り出しを容易に行うことができる。
【００２９】
即ち、袋状領域２ａから延出領域２ｂに渡って本体部２を切断（以下、第一切断とも記す）することで、本体部２に開口部１０ａが形成される。また、第一切断する際の切断予定線Ｌ１と交差するように第一切込部２ｆが形成されることで、第一切断が第一切込部２ｆに達した際に、第一切断によって形成された開口部１０ａと第一切込部２ｆとが連なった状態となる。そして、斯かる状態で第一切込部２ｆの両端部を起点に本体部２を更に切断（以下、第二切断とも記す）することで、第一切断によって形成された開口部１０ａを広げることができる。これにより、袋状領域２ａ内の物品を広げられた開口部１０ａから容易に取り出すことができる。
【００３０】
また、第一切込部２ｆが剥離可能な内側接合部２ｄに形成されることで、本体部の第一切断が第一切込部２ｆに達するまで内側接合部２ｄが剥離されつつ本体部２（具体的には、一方のシート材の内側接合部２ｄを形成する領域）が切断される。また、第一切断が第一切込部２ｆに達した後に本体部２の第二切断を行う際にも、内側接合部２ｄが剥離されつつ本体部２が切断される。つまり、第一切込部２ｆが内側接合部２ｄに形成された場合であっても、第一切断及び第二切断を容易に行うことができるため、第一切断によって形成された開口部１０ａを第二切断によって容易に広げることができる。更に、内側接合部２ｄは、本体部２の他の部位よりも変形し難い（換言すれば、張りがある）ため、内側接合部２ｄに形成された第一切込部２ｆの両端部を起点とする第二切断を行い易くすることができる。
【００３１】
また、第二切込部２ｇの両端部を起点に一対の切断予定線Ｌ１，１Ｌで本体部２を切断（第一切断）することで、第一切断が第一切込部２ｆに達した際に一対の切断予定線Ｌ１，１Ｌと第一切込部２ｆと第二切込部２ｇとで囲まれた領域（以下、分離領域とも記す）２ｇが本体部２から分離する。これにより、袋状領域２ａから物品を取り出す際に、分離領域２ｇが開口部１０ａの近傍に位置することがないため、分離領域２ｇが物品の取り出しの邪魔になるのを防止することができる。
【００３２】
なお、本発明に係る包装材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３３】
例えば、上記実施形態では、本体部２は、一対の切断予定線Ｌ１，Ｌ１上で切断されるように構成されているが、これに限定されるものではなく、例えば、図５に示すように、一つの切断予定線Ｌ１上で切断されるように構成されてもよい。斯かる場合には、第一方向に延びる切り込みから構成される第二切込部２ｇ’を本体部２に形成し、該第二切込部２ｇ’の一端部から第一切込部２ｆに達する一つの切断予定線Ｌ１を仮想的に設定することができる。
【００３４】
また、上記実施形態では、第一切込部２ｆは、一対の切断予定線Ｌ１，Ｌ１と交差するように形成されているが、これに限定されるものではなく、例えば、図６（ａ）に示すように、一方の切断予定線Ｌ１のみと交差するように第一切込部２ｆが形成されてもよい。
【００３５】
また、上記実施形態では、第一切込部２ｆは、内側接合部２ｄに形成されているが、これに限定されるものではなく、例えば、図６（ｂ）（ｃ）に示すように、延出領域２ｂにおける内側接合部２ｄ以外の領域に形成されてもよい。
【００３６】
また、上記実施形態では、内側接合部２ｄの一方の面側のみ第一切込部２ｆが形成されているが、これに限定されるものではなく、例えば、図６（ｄ）に示すように、内側接合部２ｄの両面に第一切込部２ｆが形成されてもよい。斯かる場合には、一方の第一切込部２ｆと他方の第一切込部２ｆとの間にカットテープ３が配置されることで、第一切込部２ｆ同士が連通しないように構成することができる。つまり、斯かる場合には、カットテープ３が袋状領域２ａから第一切込部２ｆに達する位置（袋状領域２ａから第一切込部２ｆを超えない位置）まで配置され、二枚のシート材の一方向に直行する他方向に延びる領域同士が直接的又は間接的に剥離可能に接合されて内側接合部２ｄが形成される。なお、一方の第一切込部２ｆと他方の第一切込部２ｆとの間にカットテープ３が配置せずに第一切込部２ｆ，２ｆ同士が連通するように構成してもよい。
【００３７】
また、上記実施形態では、切断予定線Ｌ１が直線状に仮想的に設定されているが、これに限定されるものではなく、例えば、曲線状や屈折した線状であってもよい。
【００３８】
また、上記実施形態では、第一切込部２ｆと第二切込部２ｇとが包装体１０の同一面に形成されているが、これに限定されるものではなく、例えば、包装体１０における第一切込部２ｆが形成される面と第二切込部２ｇが形成される面とが交差するように構成されてもよい。
【００３９】
また、上記実施形態では、カットテープ３を備えるように構成されているが、これに限定されるものではなく、例えば、カットテープ３を備えない包装材であってもよい。
【００４０】
また、上記実施形態では、本体部２が重なり合う２枚のシート材から構成されているが、これに限定されるものではなく、例えば、一枚のシート材を折り畳んで重なり合う端部同士を接合することで形成される本体部であってもよく、筒状に形成したシート材から形成された本体部であってもよい。
【符号の説明】
【００４１】
１…包装材、２…本体部、２ａ…袋状領域、２ｂ…延出領域、２ｃ…収容口、２ｄ…内側接合部、２ｅ…端部接合部、２ｆ…第一切込部、２ｇ…第二切込部、２ｈ…領域、３…カットテープ、４…第一被覆フィルム、５…第二被覆フィルム、５ａ…摘み部、１０…包装体、１０ａ…開口部、Ｌ１…切断予定線
【図１】
0006709593.tif 000002
【図２】
0006709593.tif 000003
【図３】
0006709593.tif 000004
【図４】
0006709593.tif 000005
【図５】
0006709593.tif 000006
【図６】
0006709593.tif 000007